(57)【要約】【課題】ビス又はボルトそれ自体に発光体を組み込み、照明専用器具によることなく照明を設置することができる螺子と、この螺子を用いた部材取付構造を提供する。【解決手段】ボルト２０は、棒状部２１と、この棒状部２１の基端に設けられた頭部２２とを有しており、該棒状部２１の外周面に雄ネジが設けられている。棒状部２１の先端に凹穴２６が設けられ、ＬＥＤ２３が該凹穴２６内に配置され、透明樹脂２７によって埋設されている。頭部２２内には、棒状部２１と同軸状に２次コイル２４が周設されており、該２次コイル２４とＬＥＤ２３とはリード線２５で接続されている。この２次コイル２４に１次コイルを対峙させて電磁誘導によって２次コイル２４に電力を伝搬させることによりＬＥＤ２３を点灯させることができる。【選択図】図１
2007016856.tif 000002
【特許請求の範囲】
【請求項１】
ボルト又はビスよりなる螺子において、発光体を備えたことを特徴とする螺子。
【請求項２】
請求項１において、該発光体は該螺子の内部に配置されており、該発光体からの光を螺子の外面にまで導くように透明部が設けられていることを特徴とする螺子。
【請求項３】
請求項１又は２において、発光体からの光を出射させる出射部が螺子の長手方向の端部に設けられていることを特徴とする螺子。
【請求項４】
請求項１ないし３のいずれか１項において、電磁誘導作用によって電力を伝搬させると共にこの電力を該発光体に供給するように２次コイルが設けられていることを特徴とする螺子。
【請求項５】
請求項４において、該螺子は外周面に雄ネジが設けられた棒状部と、該棒状部の一端に設けられた頭部とを有しており、
前記２次コイルは、該頭部に該螺子と同軸的に周設されていることを特徴とする螺子。
【請求項６】
螺子によって部材を取り付けた部材取付構造において、
該螺子は請求項１ないし４のいずれか１項に記載の螺子であることを特徴とする部材取付構造。
【請求項７】
請求項６において、該部材は便器であり、前記螺子の頭部が便器の外部に露出しており、該螺子は、該頭部に光の出射部を備えていることを特徴とする部材取付構造。
【請求項８】
請求項６において、該部材は便器上に設置された便器上面部材であり、
前記螺子は、便器の上面のフランジ状部分を貫通し、該螺子の下端部が該便器外部に露出しており、該螺子は、該下端部に光の出射部を備えていることを特徴とする部材取付構造。
【発明の詳細な説明】
【技術分野】
【０００１】
本発明は、ボルト又はビスよりなる螺子と、この螺子によって部材を取り付けた部材取付構造とに関する。詳しくは、便座ボックスなどの便器上面部材を便器に取り付ける場合に好適な螺子及び部材取付構造に関する。
【背景技術】
【０００２】
Ｉ．洋風便器に温水洗浄装置を設置する場合に、便鉢の後部上面に便座ボックスを設置することが多い。この便座ボックス内に温水を噴出するためのノズル及び温水供給機構が組み込まれると共に、さらに温風乾燥機構、脱臭機構などが組み込まれることもある。この便座ボックスに便座や、通常は更に便蓋が上下方向回動自在に取り付けられる。この便座ボックスの洋風便器への従来の取付構造（例えば特開２００１−８１８３２号）について第１２図〜第１４図を参照して説明する。
【０００３】
便座ボックス１の底部プレート２に洋風便器４の前後方向に延在するスリット３が２条平行に設けられている。このスリット３にボルト５の頭部が差し込まれる。なお、スリット３は、後端側に拡幅部３ａを備えており、ボルト５の頭部５ａが該拡幅部３ａを通って底部プレート２の上側に挿入され、ボルト５の螺子棒部５ｂが該スリット３を通って下方に延出される。
【０００４】
洋風便器４の便鉢４ａの後方部には、このボルト５の螺子棒部５ｂを通すためのボルト挿通孔４ｂが２個設けられている。平パッキン６を介してボルト５を該ボルト挿通孔４ｂに通し、半球パッキン８及びスリップワッシャ９を介してナット１０を該ボルト５に装着する。便座ボックス１に装着された便座１１の前端が第１４図の如く洋風便器４の前端から５〜２０ｍｍ程度突出するように便座ボックス１の前後位置を調整してから該ナット１０を締め込み、便座ボックス１を洋風便器４に固定する。
【０００５】
この便座ボックス１には、便蓋１２も上下方向回動自在に取り付けられている。この便座ボックス１の内部に温水噴射ノズル等の機構が設置されている。
【０００６】
この便器４はビス１３によってトイレルームの床に固定されている。ビス１３の頭部には化粧キャップ１４が装着されている。なお、第１３，１４図ではビス１３は便器４の後部に設けられているが、便器４の側面部４Ｓを床にビス留めすることも広く行われている。
【０００７】
II．特開２００１−６５０３２号には、便器にＬＥＤを設け、便器周囲の床面等を照明することが記載されている。
【０００８】
III．特開２００３−１７４９７８号の図６，８には、シャワーヘッドに超音波発生器及び２次コイルを設けると共に、シャワーフックに１次コイルを設け、これら１次コイル、２次コイル間の電磁誘導により超音波発生器駆動用の蓄電池に給電することが記載されている。
【特許文献１】特開２００１−８１８３２号
【特許文献２】特開２００１−６５０３２号
【特許文献３】特開２００３−１７４９７８号
【発明の開示】
【発明が解決しようとする課題】
【０００９】
上記特開２００１−６５０３２号では、ＬＥＤを有した照明器具を便器に取り付ける必要がある。
【００１０】
本発明は、ビス又はボルトそれ自体に発光体を組み込み、照明専用器具によることなく照明を設置することができる螺子と、この螺子を用いた部材取付構造を提供することを目的とする。
【課題を解決するための手段】
【００１１】
請求項１の螺子は、ボルト又はビスよりなる螺子において、発光体を備えたことを特徴とするものである。
【００１２】
請求項２の螺子は、請求項１において、該発光体は該螺子の内部に配置されており、該発光体からの光を螺子の外面にまで導くように透明部が設けられていることを特徴とするものである。
【００１３】
請求項３の螺子は、請求項１又は２において、発光体からの光を出射させる出射部が螺子の長手方向の端部に設けられていることを特徴とするものである。
【００１４】
請求項４の螺子は、請求項１ないし３のいずれか１項において、電磁誘導作用によって電力を伝搬させると共にこの電力を該発光体に供給するように２次コイルが設けられていることを特徴とするものである。
【００１５】
請求項５の螺子は、請求項４において、該螺子は外周面に雄ネジが設けられた棒状部と、該棒状部の一端に設けられた頭部とを有しており、前記２次コイルは、該頭部に該螺子と同軸的に周設されていることを特徴とするものである。
【００１６】
請求項６の部材取付構造は、螺子によって部材を取り付けた部材取付構造において、該螺子は請求項１ないし４のいずれか１項に記載の螺子であることを特徴とするものである。
【００１７】
請求項７の部材取付構造は、請求項６において、該部材は便器であり、前記螺子の頭部が便器の外部に露出しており、該螺子は、該頭部に光の出射部を備えていることを特徴とするものである。
【００１８】
請求項８の部材取付構造は、請求項６において、該部材は便器上に設置された便器上面部材であり、前記螺子は、便器の上面のフランジ状部分を貫通し、該螺子の下端部が該便器外部に露出しており、該螺子は、該下端部に光の出射部を備えていることを特徴とするものである。
【発明の効果】
【００１９】
本発明の螺子には発光体が設けられているので、照明専用器具を用いることなく照明を設置することができる。発光体が紫外線（ＵＶ）を発生するものであれば、紫外線殺菌を行うこともできる。
【００２０】
発光体を螺子の内部に配置し、透明部を介して出射させるようにした場合には、発光体に人や物が当ったり、水が掛かったりして発光体が損壊することが防止される。
【００２１】
光の出射部を螺子の長手方向の端部に配置した場合には、この端部が被取付部材から露出するように螺子留めすることにより、この端部を照明として機能させることができる。
【００２２】
この螺子に２次コイルを設け、電磁誘導によって発光体に給電することが好ましい。これにより、螺子に対し電線を接続することが不要となる。
【００２３】
この２次コイルは、螺子の頭部に設けられることが好ましい。
【発明を実施するための最良の形態】
【００２４】
以下、図面を参照して実施の形態について説明する。
【００２５】
第１図（ａ）は実施の形態に係る螺子としてのボルトの斜視図、第１図（ｂ）は同（ａ）のＢ−Ｂ線断面図、第２図はこのボルトの使用例を示す断面図である。
【００２６】
このボルト２０は、棒状部２１と、この棒状部２１の基端に設けられた頭部２２とを有しており、該棒状部２１の外周面に雄ネジが設けられている。棒状部２１の先端に凹穴２６が設けられ、ＬＥＤ２３が該凹穴２６内に配置され、透明樹脂２７によって埋設されている。
【００２７】
頭部２２内には、棒状部２１と同軸状に２次コイル２４が周設されており、該２次コイル２４とＬＥＤ２３とはリード線２５で接続されている。
【００２８】
この２次コイル２４に１次コイルを対峙させて電磁誘導によって２次コイル２４に電力を伝搬させることによりＬＥＤ２３を点灯させることができる。
【００２９】
このボルト２０は、各種部材の取り付けに用いることができる。第１２〜１４図に示した便座ボックスの取付ボルト５の下端に発光体を設けた場合には、トイレルームの便器側方の床面を照明することができる。
【００３０】
第２図はその一例を示すものであり、前記第１２図〜第１４図に示したボルト５の代わりに上記ボルト２０を用いて便座ボックス１を便器４に取り付けた状態を示している。
【００３１】
このボルト２０は、便器４のボルト挿通穴４ｂに挿通され、頭部２２はスリット３の上側に配置されている。頭部２２の上側に１次コイル２８が設けられている。この１次コイル２８は、便座ボックス１の底部プレート２を構成する樹脂材料中にインサートされている。１次コイル２８は２次コイル２４と同軸状に配置されている。その他の符号は前記第１２〜１４図の通りである。
【００３２】
ボルト２０の棒状部２１の下端はナット１０よりも下方に突出しているので、１次コイル２８に交流を通電し、ＬＥＤ２３を点灯させると、ＬＥＤ２３からの光が透明樹脂２７を通って便器４の後方付近を照らすようになる。
【００３３】
なお、ＬＥＤ２３として紫外線を発光するＵＶＬＥＤを用いると、便器４の後方付近を紫外線で殺菌することができる。この紫外線が照射される部位に酸化チタン等の光触媒を保持させておくと、光触媒作用によって防汚作用を奏することができる。
【００３４】
第２図では、１次コイル２８は、便座ボックス１の底部プレート２を構成する、頭部２２の上方の樹脂材料中にインサートされているが、頭部２２の下方の樹脂材料中にインサートされてもよい。また、第３図のように、便座ボックス１の底部プレート２とは別体の１次コイルユニット２９を配置し、該１次コイルユニット２９に設けた１次コイル２８によって２次コイル２４に電磁誘導起電力を生じさせてもよい。また、パッキン６に１次コイルを設けてもよい。
【００３５】
第２，３図では、本発明のボルトによって便座ボックスを便器に取り付けているが、便器を床等に固定するためのボルトやビスに本発明を適用してもよい。例えば、第１２〜１４図のビス１３に本発明を適用してもよい。このビス１３の頭部に発光体を設ける場合には、便器の後部側領域を照明することができる。この場合、化粧キャップ１４は省略するか、又は透明とすればよい。なお、第１２〜１４図では、ビス１３は便器４の後部に設けられているが、便器４の側面４Ｓ付近など他の部位に設けられてもよい。
【００３６】
本発明の螺子は、第４図のボルト２０Ａのように六角形の頭部２２Ａを備えてもよい。この頭部２２Ａの上面近くに２次コイル２４が配置されている。このボルト２０Ａのその他の構成はボルト２０と同一である。
【００３７】
このボルト２０Ａの使用例を第５図（ａ）に示す。このボルト２２Ａは、部材３１，３２のボルト挿通孔３１ａ，３２ａに挿通され、ワッシャ３３，３４を介してナット３５が締め込まれることにより、部材３１，３２同士が連結されている。
【００３８】
頭部２２Ａに対し冠状の１次コイルユニット３６が装着され、この１次コイルユニット３６に設けられた１次コイル３７が２次コイル２４と近接対峙するようになっている。リード線３７ａを介して１次コイル３７に交流を通電すると、２次コイル２４に電磁誘導により電力が伝搬し、ＬＥＤ２３が点灯する。
【００３９】
第５図（ａ）では、２次コイル２４は頭部２２Ａの上面側に配置されているが、第５図（ｂ）のボルト２０Ｂのように、頭部２２Ｂの下面側（棒状部２１側）に２次コイル２４を配置してもよい。このボルト２０Ｂのその他の構成はボルト２０Ａと同一である。
【００４０】
第５図（ｂ）では、ワッシャ３３Ａに１次コイル３８を組み込み、リード線３８ａによって交流を通電し、２次コイル２４に電磁誘導によって電力を伝搬させ、ＬＥＤ２３を点灯させるようにしている。
【００４１】
第６図（ａ），（ｂ）は皿ボルトに適用した実施の形態を示す斜視図と断面図である。
【００４２】
このボルト２０Ｃの頭部２２Ｃは皿状であり、十字形の溝４０が設けられている。２次コイル２４は頭部２２Ｃの上面を周回している。ボルト２０Ｃのその他の構成はボルト２０と同一であり、同一符号は同一部分を示している。この実施の形態でも、２次コイル２４に１次コイルを近接対峙させ、電磁誘導によってＬＥＤ２３に通電して点灯させることができる。
【００４３】
第６図では頭部２２Ｃの上面に２次コイル２４を設けているが、第７図のボルト２０Ｄのように皿状頭部２２Ｄの棒状部２１側のテーパ面に２次コイル２４を設けてもよい。
【００４４】
上記実施の形態では、いずれも棒状部の先端側にＬＥＤ２３を配置しているが、第８図のボルト２０Ｅのように棒状部２１の基端側にＬＥＤ２３を配置し、棒状部２１内に導光用の透明部４２を設けてもよい。この透明部４２はＬＥＤ２３から棒状部２１の先端面にまで延在している。透明部４２は透明樹脂等よりなることが好ましい。なお、第８図（ａ）はボルト２０Ｅの斜視図、第８図（ｂ）は同（ａ）のＢ−Ｂ線断面図である。このボルト２０Ｅのその他の構成はボルト２０と同一である。
【００４５】
第８図では透明部４２を棒状部２１の軸芯部分に設けているが、第９図のボルト２０Ｆは全体を透明な樹脂にて構成したものであり、ＬＥＤ２３は棒状部２１の頭部２２近傍に設けられている。棒状部２１の外周面のうち少なくとも雄ネジ部分Ｓについては反射層が設けられている。
【００４６】
このボルト２０Ｆにおいては、２次コイル２４からの電磁誘導起電力によってＬＥＤ２３が点灯した場合、その光は棒状部２１の外周面で全反射して棒状部２１の先端に到達し、そこから外部に放射される。なお、雄ネジ部分Ｓに反射層を設けているので、雄ネジ部分Ｓから光が外部に漏れることはない。
【００４７】
第１０図（ａ）は頭部から光を出射させるようにした実施の形態に係るボルト２０Ｇの斜視図、同（ｂ）は同（ａ）のＢ−Ｂ線断面図である。このボルト２０Ｇの頭部２２Ｇの上面から凹穴４４が設けられ、この凹穴４４内にＬＥＤ２３が配置され、凹穴４４内に透明樹脂等よりなる透明部４５が設けられている。
【００４８】
２次コイル２４は頭部２２Ｇの棒状部２１側に周設されている。このボルト２０Ｇは、前記第５図（ｂ）のように使用することができる。
【００４９】
このボルト２０Ｇにあっては、ＬＥＤ２３が点灯すると、頭部２２Ｇから上方に光が出射する。
【００５０】
第１１図は、皿ビスに適用した実施の形態を示している。ビス２０Ｈは全体が透明樹脂よりなる。皿形の頭部２２Ｈの棒（錐）状部２１Ｈ側のテーパ面に沿って１次コイル２４が設けられている。ＬＥＤ２３は十字溝４０の下側に埋設されている。
【００５１】
このビス２０Ｈにあっても、ＬＥＤ２３が点灯すると、頭部２２Ｈから上方に光が出射する。
【００５２】
上記実施の形態はいずれも本発明の一例であり、本発明は図示以外の形態をもとりうる。
【００５３】
上記実施の形態では、いずれもＬＥＤをボルトやビスの内部に埋設状に設けており、耐久性に優れるが、ＬＥＤは外気に触れるように設けられてもよい。例えば、第１図において透明樹脂２７が省略されてもよい。
【図面の簡単な説明】
【００５４】
【図１】（ａ）図は実施の形態に係る螺子としてのボルトの斜視図、（ｂ）図は（ａ）図のＢ−Ｂ線断面図である。
【図２】図１のボルトの使用例を示す断面図である。
【図３】図１のボルトの別の使用例を示す断面図である。
【図４】実施の形態に係る螺子としてのボルトの斜視図である。
【図５】図４のボルトの使用例を示す断面図である。
【図６】実施の形態に係る螺子としてのボルトの構成図である。
【図７】実施の形態に係る螺子としてのボルトの構成図である。
【図８】実施の形態に係る螺子としてのボルトの構成図である。
【図９】実施の形態に係る螺子としてのボルトの構成図である。
【図１０】実施の形態に係る螺子としてのボルトの構成図である。
【図１１】実施の形態に係る螺子としてのビスの構成図である。
【図１２】便座ボックスの取付状態を示す分解斜視図である。
【図１３】便座ボックスの底面の斜視図である。
【図１４】便座ボックス付き洋風便器の斜視図である。
【符号の説明】
【００５５】
１  便座ボックス
５  ボルト
２０，２０Ａ〜２０Ｇ  ボルト
２０Ｈ  ビス
２２，２２Ａ〜２２Ｈ  頭部
２３  ＬＥＤ
２４  ２次コイル
２８，３７，３８  １次コイル
【図１】
2007016856.tif 000003
【図２】
2007016856.tif 000004
【図３】
2007016856.tif 000005
【図４】
2007016856.tif 000006
【図５】
2007016856.tif 000007
【図６】
2007016856.tif 000008
【図７】
2007016856.tif 000009
【図８】
2007016856.tif 000010
【図９】
2007016856.tif 000011
【図１０】
2007016856.tif 000012
【図１１】
2007016856.tif 000013
【図１２】
2007016856.tif 000014
【図１３】
2007016856.tif 000015
【図１４】
2007016856.tif 000016